(57)【特許請求の範囲】
【請求項１】
電源と、該電源に入力側が接続されたイグニッションコイル駆動回路と、該イグニッションコイル駆動回路の出力側に一次巻線が接続された複数のイグニッションコイルと、該各イグニッションコイルの二次巻線の両端にそれぞれ設けられた点火プラグとからなる偶数気筒用電気火花点火装置において、
前記イグニッションコイル駆動回路は、前記電源に一端がそれぞれ接続された制御電圧によって駆動される第１及び第２のスイッチ手段と、前記第１のスイッチ手段の他端に、一端が直列に接続されて他端が接地された制御電圧によって駆動される第３のスイッチ手段と、前記第２のスイッチ手段の他端に、一端が直列に接続されて他端が接地された制御電圧によって駆動される第４のスイッチ手段と、第１のイグニッションコイルの一次巻線の両端が接続される前記第１のスイッチ手段と前記第３のスイッチ手段との接続点及び前記第２のスイッチ手段と前記第４のスイッチ手段との接続点とを備え、
前記イグニッションコイル駆動回路の出力側に所望数のイグニッションコイルが追加接続されるときには、さらに前記第１のスイッチ手段の他端に、一端が直列に接続されて他端が接地される所望数追加された制御電圧によって駆動されるスイッチ手段と、前記第２のスイッチ手段の他端に、一端が直列に接続されて他端が接地される所望数追加された制御電圧によって駆動されるスイッチ手段と、前記順次追加されたイグニッションコイルの一次巻線の両端が接続される前記第１のスイッチ手段と該第１のスイッチ手段に順次追加されたスイッチ手段との接続点及び前記第２のスイッチ手段と該順次追加されたスイッチ手段との接続点とを備えてなることを特徴とする偶数気筒用電気火花点火装置。
【請求項２】
前記第１のスイッチ手段、前記第２のスイッチ手段、前記第３のスイッチ手段、前記第４のスイッチ手段及び所望数追加されたスイッチ手段はそれぞれトランジスタから構成され、更に、前記第１のスイッチ手段と前記イグニッションコイルの一次巻線との間、前記第２のスイッチ手段と前記イグニッションコイルの一次巻線との間、前記第１のスイッチ手段と前記順次追加されたイグニッションコイルの一次巻線との間及び前記第２のスイッチ手段と前記順次追加されたイグニッションコイルの一次巻線との間にそれぞれ前記イグニッションコイル側をカソードにして挿入されたダイオードを備えたことを特徴とする請求項１記載の偶数気筒用電気火花点火装置。
【発明の詳細な説明】
【０００１】
【発明の属する技術分野】
本発明は例えば自動車用ガソリンエンジンの偶数気筒の点火をするための偶数気筒用電気火花点火装置、特にそのイグニッションコイルの駆動回路に関するものである。
【０００２】
【従来の技術】
図２は従来の偶数気筒用電気火花点火装置のイグニッションコイル駆動回路の回路図である。この電気火花点火装置のイグニッションコイル駆動回路は本発明者が平成７年８月１日に出願したものと類似の技術である。
図において、二気筒を同時に点火させる偶数気筒用電気火花点火装置は点火用の電源１とイグニッションコイル駆動回路２と三つのイグニッションコイルと各イグニッションコイルの両端に設けられた二組の点火プラグと（図示省略）とで構成されている。
偶数気筒用電気火花点火装置のイグニッションコイル駆動回路２はスイッチング素子であるトランジスタＱ１〜トランジスタＱ１２並びにダイオードＤ１〜ダイオードＤ６で構成されている。
【０００３】
トランジスタＱ１〜トランジスタＱ６はＰＮＰ形パワートランジスタで、トランジスタＱ７〜トランジスタＱ１２はＮＰＮ形パワートランジスタである。トランジスタＱ１〜トランジスタＱ１２のベースは制御電圧が印加される入力端子ＩＮ１〜入力端子ＩＮ１２にそれぞれ接続されている。トランジスタＱ１〜トランジスタＱ６のエミッタは電源１にそれぞれ接続され、トランジスタＱ７〜トランジスタＱ１２のエミッタはそれぞれ接地されている。
【０００４】
トランジスタＱ１〜トランジスタＱ３のコレクタはダイオードＤ１〜ダイオードＤ３のアノードにそれぞれ接続され、ダイオードＤ１〜ダイオードＤ３のカソードはトランジスタＱ７〜トランジスタＱ９のコレクタにそれぞれ接続されている。トランジスタＱ４〜トランジスタＱ６のコレクタはダイオードＤ４〜ダイオードＤ６のアノードにそれぞれ接続され、ダイオードＤ４〜ダイオードＤ６のカソードはトランジスタＱ１０〜トランジスタＱ１２のコレクタにそれぞれ接続されている。
【０００５】
ダイオードＤ１のカソードとダイオードＤ６のカソードは第１のイグニッションコイルの一次巻線Ｌ１を介して接続されている。ダイオードＤ２のカソードとダイオードＤ５のカソードは第２のイグニッションコイルの一次巻線Ｌ２を介して接続されている。ダイオードＤ３のカソードとダイオードＤ４のカソードは第３のイグニッションコイルの一次巻線Ｌ３を介して接続されている。なお、図示しないが、第１〜第３の各イグニッションコイルの二次巻線の両端にはそれぞれ点火プラグが接続されている。
【０００６】
このイグニッションコイル駆動回路は二気筒を同時に点火させる６気筒の偶数気筒用電気火花点火装置に用いられるもので、各イグニッションコイルに交互に逆向きの電流を流し、常に燃焼する側に負の電圧を発生させようとするもので、３つのイグニッションコイルに対してそれぞれ独立したＨブリッヂ回路で構成されている。また、ダイオードＤ１〜ダイオードＤ６を加えることで、トランジスタＱ１〜トランジスタＱ６を保護し、各イグニッションコイルに大きな起電力が得られるようにしたものである。
【０００７】
従来の偶数気筒用電気火花点火装置は上記のように構成され、例えば、入力端子ＩＮ１と入力端子ＩＮ１０に、駆動するための制御電圧を印加し、対応するトランジスタＱ１とトランジスタＱ１０をオンさせると、電流はトランジスタＱ１からダイオードＤ１、第１のイグニッションコイルの一次巻線Ｌ１を通ってトランジスタＱ１０の方向に流れる。そこで、トランジスタＱ１よりトランジスタＱ１０をわずかだけ早くオフすると、イグニッションコイルの一次巻線Ｌ１に流れている電流がトランジスタＱ４方向に流れ込もうとするが、ダイオードＤ６は電流の向きが逆方向であるので、そのような電流の流れ込みは阻止される。
従って、第１のイグニッションコイルの一次巻線Ｌ１に流れている電流が急激に変化するので、第１のイグニッションコイルの二次巻線に接続されている一方の点火プラグに負の高電圧、また他方の点火プラグに正の高電圧が印加し、二組の点火プラグに火花を発生させる。
【０００８】
次に、入力端子ＩＮ２と入力端子ＩＮ１１に、駆動するための制御電圧を印加し、対応するトランジスタＱ２とトランジスタＱ１１をオンさせた場合には、電流はトランジスタＱ２からダイオードＤ２、第２のイグニッションコイルの一次巻線Ｌ２を通ってトランジスタＱ１１の方向に流れ、トランジスタＱ２よりトランジスタＱ１１をわずかだけ早くオフさせると、第２のイグニッションコイルの一次巻線Ｌ１に流れている電流が急激に変化して二次巻線に接続されている一方の点火プラグに負の高電圧、また他方の点火プラグに正の高電圧が印加し、二組の点火プラグに火花を発生させる。
【０００９】
更に、入力端子ＩＮ３と入力端子ＩＮ１２に、駆動するための制御電圧を印加し、対応するトランジスタＱ３とトランジスタＱ１２をオンさせた場合には、電流はトランジスタＱ３からダイオードＤ３、第３のイグニッションコイルの一次巻線Ｌ３を通ってトランジスタＱ１２の方向に流れ、トランジスタＱ３よりトランジスタＱ１２をわずかだけ早くオフさせると、第３のイグニッションコイルの一次巻線Ｌ３に流れている電流が急激に変化して二次巻線に接続されている一方の点火プラグに負の高電圧、また他方の点火プラグに正の高電圧が印加し、二組の点火プラグに火花を発生させる。
【００１０】
また、入力端子ＩＮ４と入力端子ＩＮ７に、駆動するための制御電圧を印加し、対応するトランジスタＱ４とトランジスタＱ７をオンさせると、電流はトランジスタＱ４からダイオードＤ６、第１のイグニッションコイルの一次巻線Ｌ１を通ってトランジスタＱ７の方向に流れる。そこで、トランジスタＱ４よりトランジスタＱ７をわずかだけ早くオフすると、イグニッションコイルの一次巻線Ｌ１に流れている電流がトランジスタＱ１方向に流れ込もうとするが、ダイオードＤ６は電流の向きが逆方向であるので、そのような電流の流れ込みは阻止される。従って、第１のイグニッションコイルの一次巻線Ｌ１に流れている電流が急激に変化するので、第１のイグニッションコイルの二次巻線に上記とは逆方向の高電圧が発生し、接続されている一方の点火プラグに正の高電圧、また他方の点火プラグに負の高電圧が印加し、二組の点火プラグに火花を発生させる。
【００１１】
更に、入力端子ＩＮ５と入力端子ＩＮ８に、駆動するための制御電圧を印加し、対応するトランジスタＱ５とトランジスタＱ８をオンさせた場合には、電流はトランジスタＱ５からダイオードＤ５、第２のイグニッションコイルの一次巻線Ｌ２を通ってトランジスタＱ８の方向に流れ、トランジスタＱ５よりトランジスタＱ８をわずかだけ早くオフさせると、第２のイグニッションコイルの一次巻線Ｌ２に流れている電流が急激に変化して二次巻線に接続されている一方の点火プラグに正の高電圧、また他方の点火プラグに負の高電圧が印加し、二組の点火プラグに火花を発生させる。
【００１２】
また更に、入力端子ＩＮ６と入力端子ＩＮ９に、駆動するための制御電圧を印加し、対応するトランジスタＱ６とトランジスタＱ９をオンさせた場合には、電流はトランジスタＱ６からダイオードＤ４、第３のイグニッションコイルの一次巻線Ｌ３を通ってトランジスタＱ９の方向に流れ、トランジスタＱ６よりトランジスタＱ９をわずかだけ早くオフさせると、第３のイグニッションコイルの一次巻線Ｌ３に流れている電流が急激に変化して二次巻線に接続されている一方の点火プラグに正の高電圧、また他方の点火プラグに負の高電圧が印加し、二組の点火プラグに火花を発生させる。
【００１３】
【発明が解決しようとする課題】
上記のような従来の偶数気筒用電気火花点火装置のイグニッションコイル駆動回路は、１つのイグニッションコイルの一次巻線に正方向の電流と逆方向の電流を流すため、例えば第１のイグニッションコイルに対してトランジスタＱ１、トランジスタＱ４、トランジスタＱ７及びトランジスタＱ１０という４個のトランジスタが必要であり、第１から第３までの３つのイグニッションコイルがあるときには、トランジスタは１２個必要となり、比較的高価なパワートランジスタを数多く使用しており、装置の価格が高くなるという問題点があり、特に気筒数の多いエンジンに使用するものではこの問題が顕著であった。
【００１４】
【課題を解決するための手段】
本発明に係る偶数気筒用電気火花点火装置のイグニッションコイル駆動回路は、電源に一端がそれぞれ接続された制御電圧によって駆動される第１及び第２のスイッチ手段と、第１のスイッチ手段の他端に、一端が直列に接続されて他端が接地された制御電圧によって駆動される第３のスイッチ手段と、第２のスイッチ手段の他端に、一端が直列に接続されて他端が接地された制御電圧によって駆動される第４のスイッチ手段と、第１のイグニッションコイルの一次巻線の両端が接続される第１のスイッチ手段と第３のスイッチ手段との接続点及び第２のスイッチ手段と第４のスイッチ手段との接続点とを備え、イグニッションコイル駆動回路の出力側に所望数のイグニッションコイルが追加接続されるときには、さらに第１のスイッチ手段の他端に、一端が直列に接続されて他端が接地される所望数追加された制御電圧によって駆動されるスイッチ手段と、第２のスイッチ手段の他端に、一端が直列に接続されて他端が接地される所望数追加された制御電圧によって駆動されるスイッチ手段と、順次追加されたイグニッションコイルの一次巻線の両端が接続される第１のスイッチ手段と該第１のスイッチ手段に順次追加されたスイッチ手段との接続点及び第２のスイッチ手段と該順次追加されたスイッチ手段との接続点とを備えてなるものである。
【００１５】
本発明においては、イグニッションコイル駆動回路の出力側に所望数のイグニッションコイルが追加接続されるときには、さらに第１のスイッチ手段の他端に、一端が直列に接続されて他端が接地される所望数追加された制御電圧によって駆動されるスイッチ手段と、第２のスイッチ手段の他端に、一端が直列に接続されて他端が接地される所望数追加された制御電圧によって駆動されるスイッチ手段と、順次追加されたイグニッションコイルの一次巻線の両端が接続される第１のスイッチ手段と該第１のスイッチ手段に順次追加されたスイッチ手段との接続点及び第２のスイッチ手段と該順次追加されたスイッチ手段との接続点とを備え、第１のスイッチ手段と順次追加されたスイッチ手段とのオン・オフの組み合わせ及び第２のスイッチ手段と順次追加されたスイッチ手段とのオン・オフの組み合わせにより、順次追加されたイグニッションコイルの一次巻線に流れる電流を急激に変化させることができるので、二気筒以上の偶数気筒のエンジンに使用させるため、イグニッションコイルを追加する場合、イグニッションコイルが追加される数が１つ増えと、それに対して２個のスイッチ手段を増やせば済むこととなった。
【００１６】
【発明の実施の形態】
実施形態１．
（構成）
図１は本発明の実施形態１に係る偶数気筒用気火花点火装置のイグニッションコイル駆動回路の回路図である。
図において、偶数気筒用電気火花点火装置は点火用の電源１とイグニッションコイル駆動回路２と３つのイグニッションコイルと各イグニッションコイルの両端に設けられた二組の点火プラグとを有する点火装置（図示省略）とで構成されている。
イグニッションコイル駆動回路２はスイッチング素子であるトランジスタＱ１〜トランジスタＱ８並びにダイオードＤ１〜ダイオードＤ６で構成されている。
【００１７】
トランジスタＱ１及びトランジスタＱ２はＰＮＰ形パワートランジスタで、トランジスタＱ３〜トランジスタＱ８はＮＰＮ形パワートランジスタである。トランジスタＱ１〜トランジスタＱ８のベースは制御電圧が印加される入力端子ＩＮ１〜入力端子ＩＮ８にそれぞれ接続されている。トランジスタＱ１及びトランジスタＱ２のエミッタは電源１にそれぞれ接続され、トランジスタＱ３〜トランジスタＱ８のエミッタはそれぞれ接地されている。
【００１８】
第１のスイッチ手段であるトランジスタＱ１のコレクタはダイオードＤ１，Ｄ２，Ｄ３のアノードに、第２のスイッチ手段であるトランジスタＱ２のコレクタはダイオードＤ４，Ｄ５，Ｄ６のアノードにそれぞれ接続されている。ダイオードＤ１のカソードは第３のスイッチ手段であるトランジスタＱ３のコレクタに接続され、ダイオードＤ２のカソードはトランジスタＱ４のコレクタに接続され、ダイオードＤ３のカソードはトランジスタＱ５のコレクタに接続されている。
また、ダイオードＤ４のカソードはトランジスタＱ８のコレクタに接続され、ダイオードＤ５のカソードはトランジスタＱ７のコレクタに接続され、ダイオードＤ６のカソードは第４のスイッチ手段であるトランジスタＱ６のコレクタに接続されている。
【００１９】
ダイオードＤ１のカソードとダイオードＤ６のカソードは第１のイグニッションコイルの一次巻線Ｌ１を介して接続されている。ダイオードＤ２のカソードとダイオードＤ５のカソードは第２のイグニッションコイルの一次巻線Ｌ２を介して接続されている。ダイオードＤ３のカソードとダイオードＤ４のカソードは第３のイグニッションコイルの一次巻線Ｌ３を介して接続されている。なお、図示しないが、第１〜第３の各イグニッションコイルの二次巻線の両端にはそれぞれ点火プラグが接続されている。
【００２０】
（動作）
次に、上記実施形態の動作を図１を参照しながら説明する。
まず、入力端子ＩＮ１と入力端子ＩＮ６に、駆動するための制御電圧を印加し、対応するトランジスタＱ１とトランジスタＱ６をオンさせると、電流はトランジスタＱ１からダイオードＤ１、第１のイグニッションコイルの一次巻線Ｌ１を通ってトランジスタＱ６の方向に流れる。そこで、トランジスタＱ１よりトランジスタＱ６をわずかだけ早くオフすると、イグニッションコイルの一次巻線Ｌ１に流れている電流がトランジスタＱ２方向に流れ込もうとするが、ダイオードＤ６は電流の向きが逆方向であるので、そのような電流の流れ込みは阻止される。
従って、第１のイグニッションコイルの一次巻線Ｌ１に流れている電流が急激に変化するので、第１のイグニッションコイルの二次巻線に接続されている一方の点火プラグに負の高電圧、また他方の点火プラグに正の高電圧が印加し、二組の点火プラグに火花を発生させる。
【００２１】
次に、同じく入力端子ＩＮ１と入力端子ＩＮ７に、駆動するための制御電圧を印加し、対応するトランジスタＱ１とトランジスタＱ７をオンさせた場合には、電流はトランジスタＱ１からダイオードＤ２、第２のイグニッションコイルの一次巻線Ｌ２を通ってトランジスタＱ７の方向に流れ、トランジスタＱ１よりトランジスタＱ７をわずかだけ早くオフさせると、第２のイグニッションコイルの一次巻線Ｌ２に流れている電流が急激に変化して二次巻線に接続されている一方の点火プラグに負の高電圧、また他方の点火プラグに正の高電圧が印加し、二組の点火プラグに火花を発生させる。
【００２２】
更に、同じく入力端子ＩＮ１と入力端子ＩＮ８に、駆動するための制御電圧を印加し、対応するトランジスタＱ１とトランジスタＱ８をオンさせた場合には、電流はトランジスタＱ１からダイオードＤ３、第３のイグニッションコイルの一次巻線Ｌ３を通ってトランジスタＱ８の方向に流れ、トランジスタＱ１よりトランジスタＱ８をわずかだけ早くオフさせると、第３のイグニッションコイルの一次巻線Ｌ３に流れている電流が急激に変化して二次巻線に接続されている一方の点火プラグに負の高電圧、また他方の点火プラグに正の高電圧が印加し、二組の点火プラグに火花を発生させる。
【００２３】
また、入力端子ＩＮ２と入力端子ＩＮ３に、駆動するための制御電圧を印加し、対応するトランジスタＱ２とトランジスタＱ３をオンさせると、電流はトランジスタＱ２からダイオードＤ６、第１のイグニッションコイルの一次巻線Ｌ１を通ってトランジスタＱ３の方向に流れる。そこで、トランジスタＱ２よりトランジスタＱ３をわずかだけ早くオフすると、イグニッションコイルの一次巻線Ｌ１に流れている電流がトランジスタＱ１方向に流れ込もうとするが、ダイオードＤ１は電流の向きが逆方向であるので、そのような電流の流れ込みは阻止される。
従って、第１のイグニッションコイルの一次巻線Ｌ１に流れている電流が急激に変化するので、第１のイグニッションコイルの二次巻線に上記とは逆方向の高電圧が発生し、接続されている一方の点火プラグに正の高電圧、また他方の点火プラグに負の高電圧が印加し、二組の点火プラグに火花を発生させる。
【００２４】
更に、同じく入力端子ＩＮ２と入力端子ＩＮ４に、駆動するための制御電圧を印加し、対応するトランジスタＱ２とトランジスタＱ４をオンさせた場合には、電流はトランジスタＱ２からダイオードＤ５、第２のイグニッションコイルの一次巻線Ｌ２を通ってトランジスタＱ４の方向に流れ、トランジスタＱ２よりトランジスタＱ４をわずかだけ早くオフさせると、第２のイグニッションコイルの一次巻線Ｌ２に流れている電流が急激に変化して二次巻線に接続されている一方の点火プラグに正の高電圧、また他方の点火プラグに負の高電圧が印加し、二組の点火プラグに火花を発生させる。
【００２５】
また更に、同じく入力端子ＩＮ２と入力端子ＩＮ５に、駆動するための制御電圧を印加し、対応するトランジスタＱ２とトランジスタＱ５をオンさせた場合には、電流はトランジスタＱ２からダイオードＤ４、第３のイグニッションコイルの一次巻線Ｌ３を通ってトランジスタＱ５の方向に流れ、トランジスタＱ２よりトランジスタＱ５をわずかだけ早くオフさせると、第３のイグニッションコイルの一次巻線Ｌ３に流れている電流が急激に変化して二次巻線に接続されている一方の点火プラグに正の高電圧、また他方の点火プラグに負の高電圧が印加し、二組の点火プラグに火花を発生させる。
【００２６】
上記のようにトランジスタＱ１とトランジスタＱ６、トランジスタＱ７又はトランジスタＱ８のオン・オフの組み合わせ、並びにトランジスタＱ２とトランジスタＱ３、トランジスタＱ４又はトランジスタＱ５のオン・オフの組み合わせにより、点火を繰り返し行う。
ただし、各負荷の駆動回路は完全に独立していないので、２個以上の負荷である例えば第１と第２のイグニッションコイルの一次巻線Ｌ１、Ｌ２を同時に駆動することはできない。
【００２７】
なお、トランジスタＱ１又はトランジスタＱ２にコレクタ側から電流が流れ込むのを阻止し、トランジスタＱ１又はトランジスタＱ２を破壊するのを防いだり、その際にイグニッションコイルにより大きな起電力を発生させるために設けられたダイオードＤ１〜ダイオードＤ６は、トランジスタＱ３〜トランジスタＱ８のコレクタ−エミッタ間耐圧よりも高い耐圧となっている。
上記実施形態では、バイポーラトランジスタによるイグニッションコイル駆動回路を示したが、本発明ではこれに限定されることなくＭＯＳＦＥＴ等の半導体スイッチを用いて回路を構成してもよい。
【００２８】
また、上記実施形態では、トランジスタＱ１とトランジスタＱ６、トランジスタＱ７又はトランジスタＱ８のオン・オフの組み合わせおいて、トランジスタＱ６〜トランジスタＱ８を先にオフしたが、トランジスタＱ１とトランジスタＱ６〜トランジスタＱ８を同時にオフするようにしてもよく、トランジスタＱ２とトランジスタＱ３、トランジスタＱ５又はトランジスタＱ６のオン・オフの組み合わせおいて、トランジスタＱ３〜トランジスタＱ６を先にオフしたが、トランジスタＱ１とトランジスタＱ３〜トランジスタＱ６を同時にオフするようにしてもよい。
【００２９】
（効果）
以上のように、例えば１個のイグニッションコイルが追加接続されるときには、トランジスタＱ１のコレクタに、コレクタが直列に接続されてエミッタが接地される追加された１個のトランジスタＱ４と、第２のトランジスタＱ２のコレクタに、コレクタが直列に接続されてエミッタが接地される追加された１個のトランジスタＱ７と、追加されたイグニッションコイルの一次巻線Ｌ２の両端が接続されるトランジスタＱ１と該トランジスタＱ１に追加されたトランジスタＱ４との接続点及びトランジスタＱ２と該トランジスタＱ２に追加されたトランジスタＱ７との接続点とを備え、トランジスタＱ１と追加されたトランジスタＱ７とのオン・オフの組み合わせ及びトランジスタＱ２と追加されたトランジスタＱ４とのオン・オフの組み合わせにより、追加されたイグニッションコイルの一次巻線Ｌ２に流れる電流を急激に変化させることができるので、例えば二気筒から四気筒のエンジンに気火花点火装置のイグニッションコイル駆動回路を使用した場合、イグニッションコイルが追加される数が１つ増えるとそれに対し、２個のトランジスタＱ３、Ｑ７を増やせば済み、従来の４個のトランジスタを増やす必要があったのに比べて２個削減でき、製作費の大幅なコストダウンが図れる。
なお、この実施形態のように２つのイグニッションコイルが追加されたときには、４個のトランジスタＱ４、Ｑ５、Ｑ７、Ｑ８を増やせば足りる。
【００３０】
また、トランジスタＱ１とイグニッションコイルの一次巻線Ｌ１との間、トランジスタＱ２とイグニッションコイルの一次巻線Ｌ１との間、トランジスタＱ１と追加されたイグニッションコイルの一次巻線Ｌ２、Ｌ３との間及びトランジスタＱ２と追加されたイグニッションコイルの一次巻線Ｌ２、Ｌ３との間にそれぞれイグニッションコイル側をカソードにして挿入されたダイオードＤ１〜Ｄ６を備え、トランジスタＱ１と組み合わせられたトランジスタＱ６、Ｑ７又はＱ８をトランジスタＱ１よりわずかだけ早くオフしたときにイグニッションコイルの一次巻線Ｌ１、Ｌ２又はＬ３に流れている電流がトランジスタＱ２に流れ込むの阻止し、トランジスタＱ２と組み合わせられたトランジスタＱ３、Ｑ４又はＱ５をトランジスタＱ２よりわずかだけ早くオフしたときにイグニッションコイルの一次巻線Ｌ１、Ｌ２又はＬ３に流れている電流がトランジスタＱ１に流れ込むのを阻止するようにしたので、トランジスタＱ１及びトランジスタＱ２を保護し、各イグニッションコイルに大きな起電力を生じさせることができるという効果を有する。
【００３１】
【発明の効果】
以上のように本発明によれば、イグニッションコイル駆動回路の出力側に所望数のイグニッションコイルが追加接続されるときには、さらに第１のスイッチ手段の他端に、一端が直列に接続されて他端が接地される所望数追加された制御電圧によって駆動されるスイッチ手段と、第２のスイッチ手段の他端に、一端が直列に接続されて他端が接地される所望数追加された制御電圧によって駆動されるスイッチ手段と、順次追加されたイグニッションコイルの一次巻線の両端が接続される第１のスイッチ手段と該第１のスイッチ手段に順次追加されたスイッチ手段との接続点及び第２のスイッチ手段と該順次追加されたスイッチ手段との接続点とを備え、第１のスイッチ手段と順次追加されたスイッチ手段とのオン・オフの組み合わせ及び第２のスイッチ手段と順次追加されたスイッチ手段とのオン・オフの組み合わせにより、順次追加されたイグニッションコイルの一次巻線に流れる電流を急激に変化させることができるので、二気筒以上の偶数気筒のエンジンに使用させるため、イグニッションコイルを追加する場合、イグニッションコイルが追加される数が１つ増えとそれに対し、２個のスイッチ手段を増やせば済み、従来の４個のスイッチ手段を増やす必要があったのに比べて２個削減でき、製作費の大幅なコストダウンが図れるという効果がある。
【図面の簡単な説明】
【図１】本発明の実施形態１に係る偶数気筒用電気火花点火装置のイグニッションコイル駆動回路の回路図である。
【図２】従来の偶数気筒用電気火花点火装置のイグニッションコイル駆動回路の回路図である。
【符号の説明】
１  電源
２  イグニッションコイル駆動回路
Ｑ１〜Ｑ８  トランジスタ
Ｄ１〜Ｄ６  ダイオード（スイッチ手段）
ＩＮ１〜ＩＮ８  入力端子
【図１】
0003635478.tif 000002
【図２】
0003635478.tif 000003